(57)【要約】【課題】枠体のカバー部材を枠材に容易に取り付け、枠材からカバー部材を容易に取り外す。【解決手段】カバー部材３０の取付片３１は、額縁４０の室外側で、枠材７Ａの取付部７Ｄに取り付けられる。枠材７Ａの取付部７Ｄは、室内側に弾性変形可能な第１突片５１と、室外側に弾性変形可能な第２突片５２を有する。係合凹部６０は、第１突片５１と第２突片５２により形成され、第１突片５１と第２突片５２の間に挿入されたカバー部材３０の取付片３１と係合する。カバー部材３０の取付片３１は、係合凹部６０内で第１突片５１を室内側に押圧可能な第１押圧部３８と、第１押圧部３８よりも内周側で第２突片５２を室外側に押圧可能な第２押圧部３９を有する。【選択図】  図４
2018080467.tif 000002
【特許請求の範囲】
【請求項１】
額縁の室外側に配置される枠材と、前記枠材の取付部に取り付けられるカバー部材と、を備えた枠体であって、
前記カバー部材は、前記額縁の室外側で外周側に突出し、前記枠材の取付部に取り付けられる取付片を有し、
前記枠材の取付部は、前記額縁の室外側で内周側に突出し、前記カバー部材の取付片による室内側への押圧により室内側に弾性変形可能な第１突片と、前記第１突片の室外側で内周側に突出し、前記カバー部材の取付片による室外側への押圧により室外側に弾性変形可能な第２突片と、前記第１突片と前記第２突片により形成され、前記第１突片と前記第２突片の間に挿入された前記カバー部材の取付片と係合する係合凹部と、を有し、
前記カバー部材の取付片は、前記係合凹部内で前記第１突片に対向して配置されて前記第１突片を室内側に押圧可能な第１押圧部と、前記第１押圧部よりも内周側で前記第２突片に対向して配置されて前記第２突片を室外側に押圧可能な第２押圧部と、を有する枠体。
【請求項２】
請求項１に記載された枠体において、
前記第２押圧部は、前記第２突片に向かって突出する押圧突起であり、
前記カバー部材の取付片は、前記第２押圧部の外周側において、前記第２突片との間に空所を形成する枠体。
【請求項３】
請求項１又は２に記載された枠体において、
前記第２押圧部は、前記係合凹部よりも内周側で前記第２突片に対向して配置される枠体。
【請求項４】
請求項１ないし３のいずれかに記載された枠体において、
前記カバー部材の取付片は、前記係合凹部内で前記第２突片に向かって突出する係合突起を有し、
前記第２突片は、前記係合凹部内に位置して前記係合突起と係合する係合部を有する枠体。
【請求項５】
請求項１ないし４のいずれかに記載された枠体において、
前記第１突片は、前記額縁の室外側面との間に空所を形成する枠体。
【請求項６】
請求項１ないし５のいずれかに記載された枠体において、
前記カバー部材の取付片と前記第１突片は、前記係合凹部内で、互いの間に空所を形成する枠体。
【請求項７】
請求項１ないし６のいずれかに記載された枠体を備えた建具。
【発明の詳細な説明】
【技術分野】
【０００１】
本発明は、枠材の取付部に取り付けられた状態で、額縁に装着されるカバー部材を備えた枠体、及び、枠体を備えた建具に関する。
【背景技術】
【０００２】
建具の枠体として、枠材とカバー部材を備えた枠体が広く用いられている。枠材は、建物の開口部に設置されて、額縁の室外側に配置される。カバー部材は、枠材の取付部に取り付けられて、額縁と枠材の間の部分、及び、額縁の室外側の部分を覆う。また、従来、建具の枠体として、額縁の室外側で、樹脂額縁材（カバー部材）と金属製枠材とを係合させて、樹脂額縁材を金属製枠材に取り付けるサッシ枠材が知られている（特許文献１参照）。
【０００３】
ところが、特許文献１に記載された従来のサッシ枠材では、樹脂額縁材の係合突条と挿入溝が、それぞれ金属製枠材の係合溝と挿入突条に係合する。そのため、樹脂額縁材を金属製枠材に係合し難いことがあり、樹脂額縁材を金属製枠材に容易に取り付けられない虞がある。また、樹脂額縁材と金属製枠材が２箇所で係合するため、樹脂額縁材と金属製枠材の係合を解除し難く、樹脂額縁材の交換時に、金属製枠材から樹脂額縁材を容易に取り外せない虞がある。例えば、樹脂額縁材の一部を樹脂額縁材の長手方向の全体に亘って切り取ることで、樹脂額縁材と金属製枠材の係合が解除される。従って、樹脂額縁材の交換に手間がかかる。
【先行技術文献】
【特許文献】
【０００４】
【特許文献１】特許第４４１７２６５号公報
【発明の概要】
【発明が解決しようとする課題】
【０００５】
本発明は、前記従来の問題に鑑みなされたもので、その目的は、額縁に装着される枠体のカバー部材を枠材に容易に取り付けるとともに、枠材からカバー部材を容易に取り外すことである。
【課題を解決するための手段】
【０００６】
本発明は、額縁の室外側に配置される枠材と、前記枠材の取付部に取り付けられるカバー部材と、を備えた枠体である。前記カバー部材は、前記額縁の室外側で外周側に突出し、前記枠材の取付部に取り付けられる取付片を有する。前記枠材の取付部は、前記額縁の室外側で内周側に突出し、前記カバー部材の取付片による室内側への押圧により室内側に弾性変形可能な第１突片と、前記第１突片の室外側で内周側に突出し、前記カバー部材の取付片による室外側への押圧により室外側に弾性変形可能な第２突片と、前記第１突片と前記第２突片により形成され、前記第１突片と前記第２突片の間に挿入された前記カバー部材の取付片と係合する係合凹部と、を有する。前記カバー部材の取付片は、前記係合凹部内で前記第１突片に対向して配置されて前記第１突片を室内側に押圧可能な第１押圧部と、前記第１押圧部よりも内周側で前記第２突片に対向して配置されて前記第２突片を室外側に押圧可能な第２押圧部と、を有する。
また、本発明は、本発明の枠体を備えた建具である。
【発明の効果】
【０００７】
本発明によれば、額縁に装着される枠体のカバー部材を枠材に容易に取り付けられるとともに、枠材からカバー部材を容易に取り外すことができる。
【図面の簡単な説明】
【０００８】
【図１】本実施形態の建具の正面図である。
【図２】本実施形態の建具の断面図である。
【図３】本実施形態の建具の断面図である。
【図４】縦枠のカバー部材と枠材の取付部の断面図である。
【図５】枠材の取付部に取り付けられるカバー部材の断面図である。
【図６】枠材の取付部から取り外されるカバー部材の断面図である。
【図７】上枠のカバー部材と枠材の取付部の断面図である。
【発明を実施するための形態】
【０００９】
本発明の枠体と建具の一実施形態について、図面を参照して説明する。
本実施形態の枠体は、開口部を形成する開口枠であり、本実施形態の建具に設けられる。以下では、建具が固定窓である場合を例にとり、枠体と建具について説明する。従って、枠体は、建具の窓枠である。
【００１０】
図１は、本実施形態の建具１の正面図であり、室内からみた建具１を示している。図２、図３は、本実施形態の建具１の断面図であり、建具１の概略構成を示している。図２は、建具１を垂直方向（図１の上下方向）に切断した縦断面図であり、図３は、建具１を水平方向（図１の左右方向）に切断した横断面図である。
【００１１】
図示のように、建具１は、建物の開口部に設置されて、建物の室内と室外の間に配置される。また、建具１は、パネル体２と、パネル体２を囲む枠体３を備えている。パネル体２は、方形状の固定面材であり、枠体３の開口部３Ａに配置されて、枠体３の開口部３Ａを閉鎖する。また、パネル体２は、複数枚のガラス板２Ａを有する複層ガラスであり、枠体３の内側に嵌め込まれて、枠体３に固定される。
【００１２】
枠体３は、方形状の開口枠であり、複数のねじ４により、建物の開口部を囲む縁部（開口縁部）に取り付けられる。また、枠体３は、枠組みされた４つの枠５〜７（上枠５、下枠６、一対の縦枠７）を有し、枠５〜７により、方形状の開口部３Ａを形成する。枠５〜７は、枠体３を構成する長尺部材であり、それぞれパネル体２の縁部（上縁部、下縁部、一対の縦縁部）に沿って配置される。パネル体２の縁部が枠５〜７により保持されて、パネル体２が枠体３の開口部３Ａに保持される。
【００１３】
枠体３の開口部３Ａは、枠５〜７の内周側に形成され、建物の開口縁部は、枠５〜７の外周側に設けられる。内周側は、各枠５〜７において枠体３の開口部３Ａが位置する側であり、各枠５〜７の見付け方向における枠体３の内部側（開口部３Ａ側）である。外周側は、各枠５〜７において内周側の反対側であり、各枠５〜７の見付け方向における枠体３の外部側（開口縁部側）である。枠体３及び建具１に関して方向又は位置等を表すときには、室内側、室外側、内周側、及び、外周側を用い、それらにより方向又は位置等を説明する。
【００１４】
枠体３は、４つの枠５〜７のそれぞれに、枠５〜７の本体（枠本体）である枠材５Ａ〜７Ａと、枠材５Ａ〜７Ａに装着される装着部材５Ｂ〜７Ｂを有する。枠材５Ａ〜７Ａは、枠５〜７のベース部材であり、建物の開口縁部に設置される。ここでは、枠材５Ａ〜７Ａは、金属製の枠部材（金属枠部）であり、装着部材５Ｂ〜７Ｂは、合成樹脂製の枠部材（樹脂枠部）である。従って、枠体３は、金属と樹脂からなる複合サッシである。
【００１５】
枠材５Ａ〜７Ａは、金属（ここでは、アルミニウム合金）の押出成形により成形されて、方形状に組み合わされる。装着部材５Ｂ〜７Ｂは、合成樹脂の押出成形により成形され、それぞれ枠材５Ａ〜７Ａの取付部に取り付けられて、枠材５Ａ〜７Ａに装着される。また、装着部材５Ｂ〜７Ｂは、パネル体２の室内側に配置されるとともに、それぞれ枠５〜７の長手方向に沿って配置される。装着部材５Ｂ〜７Ｂは、それぞれ枠材５Ａ〜７Ａの内周側に設けられて、枠材５Ａ〜７Ａの室内に露出する部分を覆う。
【００１６】
上枠５の装着部材（上装着部材）５Ｂは、カバー部材（上カバー部材）１０と押縁（上押縁）２０からなり、一対の縦枠７の間に配置される。カバー部材１０は、押縁２０の室内側に配置されて、建物の開口縁部に設けられた額縁の表面を覆う。押縁２０は、パネル体２とカバー部材１０の間に位置し、パネル体２に沿って配置される。カバー部材１０は、係合部である１つの取付片１１を有し、屈曲形状に形成されている。押縁２０は、係合部である２つの突出部２１と、パネル体２を保持する保持部２２を有し、中空状に形成されている。
【００１７】
上枠５の枠材（上枠材）５Ａは、パネル体２を保持する保持部５Ｃと、カバー部材１０用の取付部（カバー取付部）５Ｄと、押縁２０用の取付部（押縁取付部）５Ｅを有する。保持部５Ｃは、内周側（パネル体２側）に突出する突出部であり、パネル体２の室外側で、パネル体２の上縁部に沿って配置される。密閉材８が、保持部５Ｃに取り付けられて、パネル体２の室外側の面に接触する。カバー部材１０の取付片１１は、溝状の取付部５Ｄに挿入されて、取付部５Ｄに係合する。これにより、カバー部材１０が枠材５Ａの取付部５Ｄに取り付けられる。
【００１８】
押縁２０の２つの突出部２１は、取付部５Ｅの２つの係合部の内側に挿入されて、それぞれ取付部５Ｅの係合部に係合する。これにより、押縁２０が枠材５Ａの取付部５Ｅに取り付けられる。押縁２０は、パネル体２の室内側で、パネル体２の上縁部に沿って配置される。密閉材８が、押縁２０の保持部２２に取り付けられて、パネル体２の室内側の面に接触する。パネル体２の上縁部は、枠材５Ａの保持部５Ｃと押縁２０の保持部２２の間に配置されて、保持部５Ｃ、２２に保持される。
【００１９】
下枠６の装着部材（下装着部材）６Ｂは、カバー部材（下カバー部材）２３からなり、一対の縦枠７の間に配置される。カバー部材２３は、パネル体２に沿って配置されて、枠材６Ａの一部（パネル体２よりも室内側の部分）と額縁の表面を覆う。また、カバー部材２３は、係合部である２つの突出部２４と、パネル体２を保持する保持部２５を有し、屈曲形状に形成されている。
【００２０】
下枠６の枠材（下枠材）６Ａは、パネル体２を保持する保持部６Ｃと、カバー部材２３用の取付部（カバー取付部）６Ｄを有する。保持部６Ｃは、内周側に突出する突出部であり、パネル体２の室外側で、パネル体２の下縁部に沿って配置される。密閉材８が、保持部６Ｃに取り付けられて、パネル体２の室外側の面に接触する。
【００２１】
カバー部材２３の２つの突出部２４は、取付部６Ｄの２つの係合部の外側に配置されて、それぞれ取付部６Ｄの係合部に係合する。これにより、カバー部材２３が枠材６Ａの取付部６Ｄに取り付けられる。カバー部材２３は、パネル体２の室内側で、パネル体２の下縁部に沿って配置される。密閉材８が、カバー部材２３の保持部２５に取り付けられて、パネル体２の室内側の面に接触する。パネル体２の下縁部は、枠材６Ａの保持部６Ｃとカバー部材２３の保持部２５の間に配置されて、保持部６Ｃ、２５に保持される。
【００２２】
縦枠７の装着部材（縦装着部材）７Ｂは、カバー部材（縦カバー部材）３０と押縁（縦押縁）２６からなり、上枠５と下枠６の間に配置される。カバー部材３０は、押縁２６の室内側に配置されて、額縁の表面を覆う。押縁２６は、パネル体２とカバー部材３０の間に位置し、パネル体２に沿って配置される。カバー部材３０は、係合部である１つの取付片３１を有し、屈曲形状に形成されている。押縁２６は、係合部である２つの突出部２７と、パネル体２を保持する保持部２８を有し、中空状に形成されている。
【００２３】
縦枠７の枠材（縦枠材）７Ａは、パネル体２を保持する保持部７Ｃと、カバー部材３０用の取付部（カバー取付部）７Ｄと、押縁２６用の取付部（押縁取付部）７Ｅを有する。保持部７Ｃは、内周側に突出する突出部であり、パネル体２の室外側で、パネル体２の縦縁部に沿って配置される。密閉材８が、保持部７Ｃに取り付けられて、パネル体２の室外側の面に接触する。カバー部材３０の取付片３１は、溝状の取付部７Ｄに挿入されて、取付部７Ｄに係合する。これにより、カバー部材３０が枠材７Ａの取付部７Ｄに取り付けられる。
【００２４】
押縁２６の２つの突出部２７は、取付部７Ｅの２つの係合部の内側に挿入されて、それぞれ取付部７Ｅの係合部に係合する。これにより、押縁２６が枠材７Ａの取付部７Ｅに取り付けられる。押縁２６は、パネル体２の室内側で、パネル体２の縦縁部に沿って配置される。密閉材８が、押縁２６の保持部２８に取り付けられて、パネル体２の室内側の面に接触する。パネル体２の縦縁部は、枠材７Ａの保持部７Ｃと押縁２６の保持部２８の間に配置されて、保持部７Ｃ、２８に保持される。
【００２５】
図４は、縦枠７のカバー部材３０と枠材７Ａの取付部７Ｄの断面図であり、図３の一部を拡大して示している。また、図４は、建物の開口縁部９と額縁４０の断面図を鎖線で示している。
図示のように、額縁４０は、建物の開口部を区画する見込み面４１と、見込み面４１の室外側の縁部から外周側に向かって形成された室外側面４２を有し、建物の開口縁部９に設けられる。枠材７Ａ及び取付部７Ｄは、額縁４０の室外側に配置される。カバー部材３０の取付片３１は、額縁４０（室外側面４２）の室外側に設けられて、枠材７Ａの取付部７Ｄに取り付けられる。
【００２６】
カバー部材３０は、額縁４０に装着される額縁材であり、板状のカバー部３２を有する。カバー部材３０の取付片３１は、カバー部３２の室外側の縁部から突出する突片であり、額縁４０の室外側で外周側に突出する。カバー部材３０が枠材７Ａの取付部７Ｄに取り付けられた状態で、カバー部材３０は、額縁４０に装着されて、枠材７Ａと額縁４０の間の部分、及び、額縁４０の室外側の部分を覆う。その状態で、カバー部３２は、額縁４０の見込み面４１に配置されて、見込み面４１の室外側の部分を覆う。また、ねじ４により、カバー部３２が額縁４０に取り付けられる。
【００２７】
枠材７Ａの取付部７Ｄは、額縁４０の室外側で内周側に突出する２つの突片５１、５２（第１突片５１、第２突片５２）と、第１突片５１と第２突片５２により凹状に形成された係合凹部６０を有する。第１突片５１は、第２突片５２の室内側に位置する板状の室内側突片であり、第２突片５２は、第１突片５１の室外側に位置する板状の室外側突片である。カバー部材３０の取付片３１は、第１突片５１と第２突片５２の間に挿入される。係合凹部６０は、第１突片５１と第２突片５２により、２つの突片５１、５２の間に区画された係合溝部であり、枠体３の開口部３Ａ（内周側）に向かって開放されている。
【００２８】
カバー部材３０の取付片３１は、挿入片であり、枠体３の開口部３Ａから係合凹部６０に挿入されて、係合凹部６０内に収容される。係合凹部６０は、カバー部材３０の取付片３１と係合して、取付片３１を保持する。これにより、カバー部材３０の取付片３１が枠材７Ａの取付部７Ｄに取り付けられる。カバー部材３０の取付片３１は、係合凹部６０に係合した状態で、第１突片５１と第２突片５２の間（第１突片５１の室外側、第２突片５２の室内側）に位置し、２つの突片５１、５２に挟まれる。
【００２９】
第１突片５１は、額縁４０の室外側に設けられて、額縁４０に隣接する。第２突片５２は、第１突片５１の室外側に設けられて、第１突片５１に並置される。第２突片５２の突出長さは、第１突片５１の突出長さよりも長く、第２突片５２は、第１突片５１の室外側で、第１突片５１よりも内周側に突出する。カバー部材３０の取付片３１が係合凹部６０に係合した状態で、第１突片５１は、額縁４０と取付片３１の間（取付片３１の室内側）に位置し、第２突片５２は、取付片３１の室外側に位置する。
【００３０】
第１突片５１は、突出方向の先端部５３に形成された規制突起５４を有する。規制突起５４は、係合凹部６０の内部（室外側）に向かって突出して、係合凹部６０内の取付片３１に接触する。第１突片５１は、規制突起５４により、取付片３１の室内側への移動を規制する。また、取付片３１と第１突片５１は、係合凹部６０内で対向して配置されて、互いの間に空所６１を形成する。空所６１は、係合凹部６０の底部６２と規制突起５４の間に形成されて、規制突起５４の外周側に位置する。
【００３１】
第１突片５１は、額縁４０の室外側面４２に接触せず、室外側面４２に並置されて、室外側面４２との間に空所６３を形成する。空所６３は、第１突片５１と額縁４０の室外側面４２との間の全体に形成されるとともに、カバー部材３０の取付片３１と額縁４０の室外側面４２との間の全体に形成される。第１突片５１の室内側に形成された空所６３により、第１突片５１の室内側への弾性変形が許容される。そのため、第１突片５１は、カバー部材３０の取付片３１による室内側への押圧により、室内側（額縁４０側）に弾性変形可能である。第１突片５１は、カバー部材３０の取付片３１により室内側に押圧されて、弾性変形により室内側に撓む。
【００３２】
第２突片５２は、カバー部材３０の取付片３１による室外側への押圧により、室外側に弾性変形可能である。第２突片５２は、カバー部材３０の取付片３１により室外側に押圧されて、弾性変形により室外側に撓む。また、第２突片５２は、係合凹部６０内に位置する係合部５５を有する。係合部５５は、係合凹部６０の内部（室内側）に向かって突出する突起であり、第２突片５２の突出方向の先端部５６と係合凹部６０の底部６２との間に形成されている。係合部５５は、第１突片５１の規制突起５４よりも係合凹部６０の底部６２側に位置する。その結果、底部６２（第１突片５１の根元部）から規制突起５４までの距離は、底部６２（第２突片５２の根元部）から係合部５５までの距離よりも長い。
【００３３】
カバー部材３０の取付片３１は、室外側に突出する遮蔽部３３と、室内側の部分に形成された段部３４と、２つの溝部３５、３６（第１溝部３５、第２溝部３６）と、係合凹部６０に係合する係合突起３７と、第１突片５１を室内側に押圧可能な第１押圧部３８と、第２突片５２を室外側に押圧可能な第２押圧部３９を有する。遮蔽部３３は、係合凹部６０よりも内周側に配置されて、額縁４０と第２突片５２の間の部分を遮蔽する。
【００３４】
段部３４は、第１突片５１の内周側に配置されて、第１突片５１の先端部５３に接触する。カバー部材３０の取付片３１が段部３４において第１突片５１により支持されて、取付片３１の外周側への移動が第１突片５１により規制される。第１溝部３５は、遮蔽部３３と第２押圧部３９の間に形成されて、係合凹部６０よりも内周側に配置される。第２溝部３６は、第２押圧部３９と係合突起３７の間に形成されて、係合凹部６０の内部に配置される。第１溝部３５は、係合凹部６０外で第２突片５２に隣接し、第２溝部３６は、係合凹部６０内で第２突片５２に隣接する。
【００３５】
係合突起３７は、取付片３１の先端部３１Ａに形成されて、係合凹部６０内に配置される。係合凹部６０内で、係合突起３７が第２突片５２に向かって突出し、第２突片５２の係合部５５が係合突起３７と係合する。収容部５７が、係合凹部６０の底部６２と係合部５５の間に形成されて、係合突起３７を収容する。係合突起３７が係合部５５に引っ掛かることで、係合突起３７の内周側への移動が規制される。これにより、カバー部材３０の係合突起３７及び取付片３１が係合部５５及び係合凹部６０に係合する。
【００３６】
第１押圧部３８は、取付片３１の先端部３１Ａに設けられた先端押圧部であり、係合凹部６０内に配置される。係合凹部６０内で、第１押圧部３８が第１突片５１に対向して配置され、空所６１が第１押圧部３８と第１突片５１の間に形成される。ここでは、第１押圧部３８は、取付片３１の室内側の先端角部であり、係合凹部６０の底部６２及び第１突片５１に隣接して配置される。
【００３７】
第２押圧部３９は、第１押圧部３８よりも内周側に設けられた内周側押圧部であり、第２突片５２に対向して配置される。ここでは、第２押圧部３９は、第２突片５２（室外側）に向かって突出する押圧突起であり、第２突片５２に隣接して配置される。第２押圧部３９は、係合凹部６０よりも内周側に配置されて、係合凹部６０の外部で、第２突片５２に対向して配置される。カバー部材３０の取付片３１は、第２押圧部３９の外周側において、第２突片５２との間に空所６４を形成する。空所６４は、第２溝部３６内の部分であり、第２押圧部３９よりも外周側の係合凹部６０内に形成される。第２突片５２の係合部５５は、空所６４及び第２溝部３６内に配置される。
【００３８】
図５は、枠材７Ａの取付部７Ｄに取り付けられるカバー部材３０の断面図である。
図示のように、カバー部材３０の取り付け時には、押縁２６を枠材７Ａに取り付けていない状態で、カバー部材３０を枠体３の開口部３Ａにおいて額縁４０に向かって移動させ、カバー部材３０の取付片３１を係合凹部６０に挿入する（矢印Ｒ参照）。その際、例えば、打ち付け工具（ハンマー等）によりカバー部材３０をたたいて、カバー部材３０の取付片３１を係合凹部６０に押し込む。
【００３９】
カバー部材３０の取付片３１の挿入に伴い、取付片３１の係合突起３７が第２突片５２の係合部５５に接触する。また、カバー部材３０の取付片３１が第１突片５１の規制突起５４に接触し、取付片３１の第１押圧部３８が第１突片５１に接触する。続いて、カバー部材３０の取付片３１を係合凹部６０に更に挿入すると、第１突片５１と第２突片５２が、カバー部材３０の取付片３１により押圧されて弾性変形する。
【００４０】
第１突片５１は、取付片３１により室内側に押圧されて室内側に弾性変形し、第２突片５２は、取付片３１により室外側に押圧されて室外側に弾性変形する。その結果、第１突片５１と第２突片５２が弾性変形により撓み、係合凹部６０が室内外方向に広がる。ここでは、第１突片５１が、第２突片５２よりも大きな押圧力を受ける。そのため、主に、第１突片５１が、室内側に弾性変形して撓む。続いて、取付片３１の係合突起３７が、係合部５５を乗り越えて、第２突片５２の収容部５７に収容される（図４参照）。
【００４１】
取付片３１の係合突起３７は、係合凹部６０の底部６２まで押し込まれて、第２突片５２の係合部５５に係合する。係合部５５が係合突起３７と係合したときに、第１突片５１と第２突片５２の弾性変形（撓み）が解消されて、カバー部材３０の取付片３１が第１突片５１と第２突片５２の間に挟まれる。また、カバー部材３０の取付片３１は、係合凹部６０に挿入されて、係合凹部６０に係合し、枠材７Ａの取付部７Ｄに取り付けられる。これにより、カバー部材３０は、枠材７Ａの取付部７Ｄに取り付けられて、額縁４０に装着される。
【００４２】
なお、枠体３を組み立てる前においては、カバー部材３０の取付片３１を、枠材７Ａの長手方向の外側から係合凹部６０に挿入してもよい。この場合には、カバー部材３０の取付片３１を、係合凹部６０の長手方向の端部に挿入して、係合凹部６０内で長手方向にスライドさせる。これにより、カバー部材３０の取付片３１の全体を係合凹部６０に挿入して、カバー部材３０の取付片３１を係合凹部６０に係合する。
【００４３】
図６は、枠材７Ａの取付部７Ｄから取り外されるカバー部材３０の断面図である。
図示のように、カバー部材３０の取り外し時には、押縁２６を枠材７Ａから取り外した状態で、カバー部材３０を枠体３の開口部３Ａ側に移動させて額縁４０から離間させる（矢印Ｓ参照）。これにより、カバー部材３０の取付片３１を係合凹部６０から引き出す。その際、例えば、引き離し工具（スクレーパー等）をカバー部材３０のカバー部３２と額縁４０の間に差し込んで、カバー部３２を額縁４０から引き離す。カバー部材３０は、室外側に向かって回転するように、枠体３の開口部３Ａ側に移動する。
【００４４】
カバー部材３０の取付片３１の引き出しに伴い、取付片３１の第２押圧部３９が第２突片５２に接触し、取付片３１の第１押圧部３８が第１突片５１に接触する。続いて、第１突片５１と第２突片５２が、カバー部材３０の取付片３１により押圧されて弾性変形する。第２突片５２は、第２押圧部３９により室外側に押圧されて室外側に弾性変形し、第１突片５１は、第１押圧部３８により室内側に押圧されて室内側に弾性変形する。その結果、第１突片５１と第２突片５２が弾性変形により撓み、係合凹部６０が室内外方向に広がる。
【００４５】
ここでは、第２突片５２が、第１突片５１よりも大きな押圧力を受けて、第１突片５１よりも大きく撓む。続いて、取付片３１の係合突起３７が第２突片５２の係合部５５を乗り越えて、係合突起３７と係合部５５の係合が解除される。係合突起３７と係合部５５の係合が解除されるまで、第１突片５１は第１押圧部３８により押圧され、第２突片５２は第２押圧部３９により押圧される。その後、取付片３１の全体が係合凹部６０から引き出されて、第１突片５１と第２突片５２の弾性変形（撓み）が解消される。これにより、取付片３１と係合凹部６０の係合が解除されて、取付片３１が枠材７Ａの取付部７Ｄから取り外される。また、カバー部材３０が枠材７Ａの取付部７Ｄから取り外される。
【００４６】
以上説明したように、本発明によれば、枠材７Ａとカバー部材３０を備えた枠体３において、第１突片５１と第２突片５２を弾性変形させて、カバー部材３０の取付片３１を枠材７Ａの係合凹部６０に容易に係合することができる。また、カバー部材３０の取付片３１を係合凹部６０内で長手方向にスライドさせて、カバー部材３０の取付片３１を係合凹部６０に係合することもできる。従って、カバー部材３０を枠材７Ａに容易に取り付けることができ、取り付け作業の効率を向上させることができる。
【００４７】
第１押圧部３８と第２押圧部３９の押圧により第１突片５１と第２突片５２を弾性変形させて、カバー部材３０の取付片３１と係合凹部６０の係合を容易に解除することができる。係合の解除のために、カバー部材３０の一部を切り取る必要もない。そのため、枠材７Ａからカバー部材３０を容易に取り外すことができ、カバー部材３０の交換作業の効率を向上させることができる。カバー部材３０の取付片３１が係合凹部６０のみに係合するため、取付片３１と係合凹部６０の構造を単純にすることができる。
【００４８】
本発明によれば、第２押圧部３９が押圧突起であるため、第２突片５２を第２押圧部３９により室外側に確実に押圧できるとともに、第２突片５２と取付片３１の間に生じる摩擦を低減することができる。また、取付片３１と第２突片５２との間に形成される空所６４により、第２突片５２と取付片３１の間に生じる摩擦をより低減することができる。これに伴い、カバー部材３０の取付片３１を係合凹部６０内で円滑にスライドさせることができる。
【００４９】
本発明によれば、係合凹部６０よりも内周側に配置された第２押圧部３９により、第２突片５２を室外側に確実に押圧して弾性変形させることができる。また、本発明によれば、取付片３１の係合突起３７は、第２突片５２に向かって突出しており、カバー部材３０の取り外し時に、第１押圧部３８と共に第１突片５１側に変位する。その結果、係合突起３７が第２突片５２の係合部５５から外れ易くなり、係合突起３７と係合部５５の係合を円滑に解除することができる。
【００５０】
本発明によれば、第１突片５１と額縁４０の室外側面４２との間に形成される空所６３により、第１突片５１を室内側に容易に弾性変形させることができる。また、本発明によれば、第１突片５１と取付片３１との間に空所６１を形成することで、第１突片５１と取付片３１の間に生じる摩擦を低減することができる。空所６１により、係合突起３７が第１突片５１側に変位し易くなるため、係合突起３７と係合部５５の係合及び係合の解除を円滑に行うことができる。
【００５１】
図７は、上枠５のカバー部材１０と枠材５Ａの取付部５Ｄの断面図であり、図２の一部を拡大して示している。また、図７は、カバー部材１０と取付部５Ｄ等を図４と同様に示している。
図示のように、上枠５のカバー部材１０は、縦枠７のカバー部材３０と同様に構成されており、取付片１１とカバー部１２を有する。また、枠材５Ａの取付部５Ｄは、枠材７Ａの取付部７Ｄと同様に構成されており、第１突片７１、第２突片７２、及び、係合凹部８０を有する。
【００５２】
カバー部材１０の取付片１１は、カバー部材３０の取付片３１と同様に、遮蔽部１３、段部１４、２つの溝部１５、１６（第１溝部１５、第２溝部１６）、係合突起１７、第１押圧部１８、及び、第２押圧部１９を有する。第１突片７１は、第１突片５１と同様に、規制突起７４を有し、第２突片７２は、第２突片５２と同様に、係合部７５と収容部７７を有する。このように、本発明は、縦枠７以外の枠に適用することができる。
【００５３】
なお、カバー部材１０、３０は、ねじ４により額縁４０に取り付けてもよく、ねじ４により額縁４０に取り付けなくてもよい。また、枠５〜７の枠材５Ａ〜７Ａと装着部材５Ｂ〜７Ｂは、金属製であってもよく、合成樹脂製であってもよい。建具は、固定窓に限定されず、枠体３を備えた他の建具（例えば、開閉窓、ドア）であってもよい。
【符号の説明】
【００５４】
１・・・建具、２・・・パネル体、３・・・枠体、４・・・ねじ、５・・・上枠、６・・・下枠、７・・・縦枠、８・・・密閉材、９・・・開口縁部、１０・・・カバー部材、１１・・・取付片、１２・・・カバー部、１３・・・遮蔽部、１４・・・段部、１５・・・第１溝部、１６・・・第２溝部、１７・・・係合突起、１８・・・第１押圧部、１９・・・第２押圧部、２０・・・押縁、２１・・・突出部、２２・・・保持部、２３・・・カバー部材、２４・・・突出部、２５・・・保持部、２６・・・押縁、２７・・・突出部、２８・・・保持部、３０・・・カバー部材、３１・・・取付片、３２・・・カバー部、３３・・・遮蔽部、３４・・・段部、３５・・・第１溝部、３６・・・第２溝部、３７・・・係合突起、３８・・・第１押圧部、３９・・・第２押圧部、４０・・・額縁、４１・・・見込み面、４２・・・室外側面、５１・・・第１突片、５２・・・第２突片、５３・・・先端部、５４・・・規制突起、５５・・・係合部、５６・・・先端部、５７・・・収容部、６０・・・係合凹部、６１・・・空所、６２・・・底部、６３・・・空所、６４・・・空所、７１・・・第１突片、７２・・・第２突片、７４・・・規制突起、７５・・・係合部、７７・・・収容部、８０・・・係合凹部。
【図１】
2018080467.tif 000003
【図２】
2018080467.tif 000004
【図３】
2018080467.tif 000005
【図４】
2018080467.tif 000006
【図５】
2018080467.tif 000007
【図６】
2018080467.tif 000008
【図７】
2018080467.tif 000009